(57)【要約】【課題】  グリーンに載ったボールの位置またはグリーン回りにあるボールの位置から、カップに到る迄の芝目を読む場合に、その芝目を読むのが非常に行い易くなり、またボールから眼が離れることなく正確なパッティングができるゴルフ練習具を提供する。【解決手段】  ゴルファーの両眼の前方に位置し、両眼の上下方を平行に覆う不透明の上下鍔１、２を備えたものとしている。そして、前記上鍔１の外端１ａと下鍔２の外端２ａの間隔を、狭くしたり広くしたりできるようにしている。さらに、この発明のゴルフ練習具は、前記上鍔１の内端１ｂをゴルファーの額に沿うような形状にしており、下鍔２の内端２ｂをゴルファーの頬に沿うような形状にしている。【選択図】    図１
2006061562.tif 000002
【特許請求の範囲】
【請求項１】
ゴルファーの両眼の前方に位置し、両眼の上下方を平行に覆う不透明の上下鍔（１、２）を備えたことを特徴とするゴルフ練習具。
【請求項２】
前記上鍔（１）の外端（１ａ）と下鍔（２）の外端（２ａ）の間隔を、狭くしたり広くしたりできるようにしたことを特徴とする請求項１記載のゴルフ練習具。
【請求項３】
前記上鍔（１）の内端（１ｂ）をゴルファーの額に沿うような形状にしており、下鍔（２）の内端（２ｂ）をゴルファーの頬に沿うような形状にしたことを特徴とする請求項１または２記載のゴルフ練習具。
【請求項４】
前記下鍔（２）の内端（２ｂ）の中央に鼻掛け用の切欠き（５）を形成したことを特徴とする請求項１〜３の何れかに記載のゴルフ練習具。
【請求項５】
前記上下鍔（１、２）の両端後方に、耳掛け用のつる（４）を設けたものとしたことを特徴とする請求項１〜４の何れかに記載のゴルフ練習具。
【請求項６】
前記上下鍔（１、２）の両端後方に、ゴルファーが着用している眼鏡に着脱自在に取り付けることができる着脱手段（７）を設けたことを特徴とする請求項１〜４の何れかに記載のゴルフ練習具。
【発明の詳細な説明】
【技術分野】
【０００１】
この発明は、ゴルファーが着用して、主にグリーン上でパッティングの練習をするのに使用するゴルフ練習具に関するものである。
【背景技術】
【０００２】
従来、この種のゴルフ練習具としては、例えば図６に示したように、着帽者の額前方に突出する鍔部Ｔを備えた野球帽、サンバイザー等の帽子Ｈの鍔部Ｔの下面側に着帽者の目前に位置しかつ垂下状態に装着される透視板Ａであって、透明の合成樹脂板ないしガラス板から作成されると共に、横方向の打球目標方向兼スイング軌道用基準線１１と、この基準線１１に直交する縦方向のクラブヘッドフェース面用基準線１２とを備えたものが存在する（特許文献１）。
【０００３】
このように構成される従来のゴルフ練習具は、打球目標方向に対するクラブフェース面の正しい向きを確認することができると共に、正しいスイング軌道の確認を行うことができ、ボールを真っ直ぐに飛ばしたいあるいは転がしたいという願いを有するプレーヤーの技術向上に寄与することができるとしている。
【特許文献１】登録実用新案第３０００８８８号公報（第２、９頁、図１）
【発明の開示】
【発明が解決しようとする課題】
【０００４】
しかしながら、上記従来のゴルフ練習具は、打球目標方向に対するクラブフェース面の正しい向きを確認することができ、正しいスイング軌道の確認を行うことができても、グリーンの芝目を読むことに関しては何の工夫もされていない。グリーンの芝目を読むことができなければ、前記したような確認ができても意味がない。
【０００５】
グリーンの芝目を読む場合、グリーン全体の芝目を読むことは勿論大事であるが、最終的にはグリーンに載ったボールの位置またはグリーン回りにあるボールの位置から、カップに到る迄の芝目を読んで、ボールの打ち出し、すなわちパッティングを行う。
【０００６】
前記ボールの位置からカップに到る迄の芝目を読む場合、グリーン全体が視線に入ると、視野が広すぎて注意が散漫になり、芝目が読み難くなる。またスイングの際にも、視野が広すぎると注意が散漫になり、ボールからつい眼が離れてしまうことがある。
【０００７】
そのため、上記従来のゴルフ練習具を用いても、芝目が読み難いばかりか、ボールから眼が離れて正確なパッティングができず、このような問題点に関しては、従来のゴルフ練習具ではまったく対処できていない。
【０００８】
そこで、この発明は、上記従来の問題点を解決することを課題としており、グリーンに載ったボールの位置またはグリーン回りにあるボールの位置から、カップに到る迄の芝目を読む場合に、その芝目を読むのが非常に行い易くなり、またボールから眼が離れることなく正確なパッティングができるゴルフ練習具を提供することを目的としてなされたものである。
【課題を解決するための手段】
【０００９】
そのため、この発明のゴルフ練習具は、ゴルファーの両眼の前方に位置し、両眼の上下方を平行に覆う不透明の上下鍔１、２を備えたものとしている。
【００１０】
そして、この発明のゴルフ練習具は、前記上鍔１の外端１ａと下鍔２の外端２ａの間隔を、狭くしたり広くしたりできるようにしている。
【００１１】
さらに、この発明のゴルフ練習具は、前記上鍔１の内端１ｂをゴルファーの額に沿うような形状にしており、下鍔２の内端２ｂをゴルファーの頬に沿うような形状にしている。
【００１２】
また、この発明のゴルフ練習具は、前記上下鍔１、２の両端後方に、耳掛け用のつる４を設けたものとしたり、下鍔２の内端２ｂの中央に鼻掛け用の切欠き５を形成したものとしている。
【００１３】
さらにまた、この発明のゴルフ練習具は、前記上下鍔１、２の両端後方に、ゴルファーが着用している眼鏡に着脱自在に取り付けることができる着脱手段７を設けたものとしている。
【発明の効果】
【００１４】
この発明のゴルフ練習具は、以上に述べたように構成されているので、グリーンに載ったボールの位置またはグリーン回りにあるボールの位置から、カップに到る迄の芝目を読む場合に、その芝目を読むのが非常に行い易くなり、またボールから眼が離れることなく正確なパッティングができるものとなる。
【発明を実施するための最良の形態】
【００１５】
以下、この発明のゴルフ練習具の実施の形態を、図面に基づいて詳細に説明する。
【００１６】
この発明のゴルフ練習具は、図１〜４に示したように、ゴルファーの両眼の前方に位置し、両眼の上下方を平行に覆う不透明の上下鍔１、２を備えたものとしている。すなわち、ゴルファーの両眼の前方の左右に位置する一対の縦枠Ｆ1 の上端間に上鍔１を突設すると共に、前記縦枠Ｆ1 の下端間に下鍔２を突設し、これら上下鍔１、２を平行に配したものとしている。したがって、この発明のゴルフ練習具をゴルファーが両眼の前方の位置に着用すると、前記上鍔１と下鍔２の間にゴルファーの視野が制限されることになる。
【００１７】
前記上下鍔１、２は、合成樹脂板や金属薄板などからなるものとしており、図２、４に示したように、これら合成樹脂板や金属薄板の曲げ歪を利用したり、適宜曲げ手段（図示せず）によって、上下鍔１、２間を手で引き離したり、押し寄せたりして、上鍔１の外端１ａと下鍔２の外端２ａの間隔を狭くしたり広くしたりできるようにしている。さらに、上下鍔１、２のそれぞれの長さＬを長く形成したり、短く形成したりできるようにしている。このような構造にすることにより、上下鍔１、２の間から見えるゴルファーの視野の幅を狭くしたり広くしたりして、ゴルファーの好みに応じた視野の幅に調節することができる。
【００１８】
さらに、前記上鍔１の内端１ｂは、ゴルファーの額に沿うような凹湾曲形状にしており、下鍔２の内端２ｂは、ゴルファーの頬に沿うような凹湾曲形状にしている。このような形状にすることにより、上鍔１とゴルファーの額との間、下鍔２とゴルファーの頬との間に隙間ができず、隙間からのゴルファーの視線の洩れはなく、前記上鍔１と下鍔２の間に制限されたゴルファーの視野が広がることはない。
【００１９】
また、図１、２に示したものは、前記上下鍔１、２の両端後方に、折曲げ部３を介在させて耳掛け用のつる４を設けたものとし、下鍔２の内端２ｂの中央に鼻掛け用の切欠き５を形成すると共に鼻当て６を設けたものとしている。このようにすることにより、この発明のゴルフ練習具は、ゴルファーが着用し易いものとなり、着用中にゴルファーの両眼の前方位置からずれ難いものとなる。
【００２０】
さらに、図３、４に示したものは、前記上下鍔１、２の両端後方に、ゴルファーが着用している近眼用の眼鏡やサングラスなどの眼鏡類に着脱自在に取り付けることができる着脱手段７を設けたものとしている。この着脱手段７は、前記縦枠Ｆ1 に折曲げ部３を介在させて横枠Ｆ2 を連結したものとし、この横枠Ｆ2 の端部に引掛け部８を設けたものとしている。なお、前記着脱手段７は、縦枠Ｆ1 に横枠Ｆ2 を連結することなく、縦枠Ｆ1 に直接、引掛け部８を設けたものとしてもよい。このような構造にすることにより、眼鏡類を着用しているゴルファーであっても、その眼鏡類に簡単に装着して使用することができる。
【００２１】
以上のように構成されたこの発明のゴルフ練習具を使用するには、次のようにして行う。
【００２２】
先ず、眼鏡を着用していないゴルファーは、図１、２に示したこの発明のゴルフ練習具をそのまま着用し、眼鏡を着用しているゴルファーは、図３、４に示したこの発明のゴルフ練習具をその着用している眼鏡に取り付ける。そして、パタークラブＰを持って、グリーンに載ったボールＢの位置またはグリーン回りにあるボールＢの位置から、図５に示したように、スタンスを取りアドレスを決める。すると、このときゴルファーの視野は、ゴルフ練習具の上鍔１と下鍔２の間に制限され、前記ボールＢの位置からカップＣに到る迄のゴルファーの視野は、図中の一点鎖線で囲まれた部分Ｗとなり、ゴルファーはこの囲まれた部分Ｗを集中的に見ることができる。
【００２３】
したがって、ゴルファーは、グリーン全体の芝目に惑わされることなく、その囲まれた部分Ｗの芝目を集中して読むことができる。そして、パッティングをする時にも、ゴルファーの視野はその囲まれた部分Ｗとなり、視野が制限されることによって集中でき、ボールからも眼が離れてしまうことがなく、正確なパッティングができることになる。
【図面の簡単な説明】
【００２４】
【図１】この発明のゴルフ練習具の一実施形態を示す斜視図である。
【図２】図１に示すゴルフ練習具の側面図である。
【図３】この発明のゴルフ練習具の他の実施形態を示す斜視図である。
【図４】図３に示すゴルフ練習具の側面図である。
【図５】この発明のゴルフ練習具の使用状態を示す説明図である。
【図６】従来のゴルフ練習具の一例を示す斜視図である。
【符号の説明】
【００２５】
１  上鍔
１ａ  外端
１ｂ  内端
２  下鍔
２ａ  外端
２ｂ  内端
４  つる
５  切欠き
７  着脱手段
【図１】
2006061562.tif 000003
【図２】
2006061562.tif 000004
【図３】
2006061562.tif 000005
【図４】
2006061562.tif 000006
【図５】
2006061562.tif 000007
【図６】
2006061562.tif 000008